(57)【要約】【課題】低価格でありながら全画角で約１８０°の撮影画角と良好な光学性能を実現した小型の撮像レンズを提供する。【解決手段】固体撮像素子用の撮像レンズであって、物体側から像側に向かって順に、物体側に凸面を向けた負の屈折力を有する像側の面が非球面の第１レンズと、像側に凹面を向けた負の屈折力を有する両面が非球面の第２レンズと、正の屈折力を有する第３レンズと、開口絞りと、正の屈折力を有する第４レンズとから成り、前記第１レンズと前記第２レンズをプラスチック材料で構成し、以下の条件式（１）、（２）を満足する。（１）−６５．０＜ｆ１／ｆ＜−１７．０（２）０．０４＜ｆ２／ｆ１＜０．１４ただし、ｆ  ：撮像レンズ全系の焦点距離ｆ１：第１レンズの焦点距離ｆ２：第２レンズの焦点距離【選択図】図１
2015184498.tif 000002
【特許請求の範囲】
【請求項１】
物体側から像側に向かって順に、物体側に凸面を向けた負の屈折力を有する像側の面が非球面の第１レンズと、像側に凹面を向けた負の屈折力を有する両面が非球面の第２レンズと、正の屈折力を有する第３レンズと、開口絞りと、正の屈折力を有する第４レンズとから成り、前記第１レンズと前記第２レンズをプラスチック材料で構成し、以下の条件式（１）、（２）を満足することを特徴とする撮像レンズ。
（１）−６５．０＜ｆ１／ｆ＜−１７．０
（２）０．０４＜ｆ２／ｆ１＜０．１４
ただし、
ｆ  ：撮像レンズ全系の焦点距離
ｆ１：第１レンズの焦点距離
ｆ２：第２レンズの焦点距離
【請求項２】
前記第３レンズは、少なくとも１面が非球面の像側に凹面を向けたメニスカス形状であり、前記第４レンズは、少なくとも１面が非球面の物体側と像側に凸面を向けた両凸形状であることを特徴とする請求項１に記載の撮像レンズ。
【請求項３】
前記第３レンズと前記第４レンズをプラスチック材料で構成したことを特徴とする請求項１または２に記載の撮像レンズ。
【請求項４】
以下の条件式（３）を満足することを特徴とする請求項１または２に記載の撮像レンズ。
（３）４．８＜ｆ３／ｆ＜１０．０
ただし、
ｆ  ：撮像レンズ全系の焦点距離
ｆ３：第３レンズの焦点距離
【請求項５】
以下の条件式（４）を満足することを特徴とする請求項１または２に記載の撮像レンズ。
（４）１．６＜ｆ４／ｆ＜３．０
ただし、
ｆ  ：撮像レンズ全系の焦点距離
ｆ４：第４レンズの焦点距離
【請求項６】
以下の条件式（５）を満足することを特徴とする請求項１に記載の撮像レンズ。
（５）１４．４＜ＴＴＬ／ｆ＜２４．４
ただし、
ＴＴＬ：第１レンズの物体側の面から像面までの光軸上の距離
ｆ  ：撮像レンズ全系の焦点距離
【発明の詳細な説明】
【技術分野】
【０００１】
本発明は、小型の撮像装置に使用されるＣＣＤセンサやＣ-ＭＯＳセンサの固体撮像素子上に被写体の像を結像させる撮像レンズに係り、特に、車載カメラやゲーム機、セキュリティカメラ、ＰＣなどの情報端末機器等、さらにはカメラ機能が付加された家電製品等に搭載される撮像装置に内蔵する撮像レンズに関するものである。
【０００２】
本発明において、レンズの面形状についての凸面、凹面とは近軸（光軸近傍）における形状を指すものとする。また、偏角とはレンズを通過する光線の入射角と射出角のなす角度を指すものとする。
【背景技術】
【０００３】
近年、自動車をはじめとする車両や家電製品には、安全性や利便性の向上を目的としてカメラ機能が搭載されることが一般的になっている。例えば、後方を撮影するカメラが搭載された車両では、運転者が車両後方の状況をモニタで確認できるため、安全に車両を後退させることができる。さらには、前後左右４方向を撮影するカメラが搭載された車両も登場しており、あたかも車両上部から観た状況をモニタで確認できるため、極めて高い視認性と安全性を実現している。また、家電製品においては、エアコンを例にすると、搭載したカメラによって室内の状況や人数を把握し、風向や風量等を調節することで節電運転を行う等、高い利便性を実現している。上述したようなカメラ機能を融合させた商品の需要は今後もますます高まり、それに伴う製品開発が急速に進むと予想される。
【０００４】
上述したような製品に搭載される撮像レンズには、製品の機能を満足するための広い画角を確保しながら、小型であり、画面全体にわたって良好な結像性能を有することが求められる。また、ますます低価格な製品開発が進む中、撮像レンズにも低価格に対応することが強く求められている。
【０００５】
従来の技術における広い画角に対応した撮像レンズとしては、例えば、以下の特許文献１や特許文献２が知られている。
【０００６】
特許文献１には、物体側から順に負の屈折力を持つ第１群、正の屈折力を持つ第２群、および正の屈折力を持つ第３群で構成し、第１群は物体側より順に物体側に凸面を向けた負のメニスカス形状の第１のレンズ、物体側に凸面を向けた負のメニスカス形状の第２のレンズ、および像面側に強い屈折面を向けた両凹の第３のレンズから構成され、第２群は物体側に強い屈折面を向けた正の第４のレンズ、絞り、正の第５のレンズ、両凹形状の第６のレンズ、および正の第７レンズからなる接合レンズから構成され、第３群は物体側に強い屈折面を向けた第８のレンズから構成される魚眼レンズ系が開示されている。
【０００７】
特許文献２には、物体側から順に像側に凹面を向けた負メニスカス形状の第１レンズと、像側に凹面を向けた負メニスカス形状の第２レンズと、正の屈折力をもつ第３レンズと、開口絞りと、正の屈折力をもつ第４レンズとで構成されているとともに、前記第２レンズは片面非球面形状とし、前記第４レンズは両面非球面形状とした広角レンズが開示されている。
【先行技術文献】
【特許文献】
【０００８】
【特許文献１】特開２００９−１２８６５４号公報
【特許文献２】特開２０１０−２７６７５２号公報
【発明の概要】
【発明が解決しようとする課題】
【０００９】
上記特許文献１に記載の撮像レンズは、Ｆ２．８で比較的明るく、８枚のレンズを用いることにより全画角が２１０°以上の、高い光学性能を有する魚眼レンズ系を実現している。しかし、レンズ枚数が多いことやガラスレンズを多用していること、及び接合レンズを用いていることから製造コストの増加を招く。また、光学全長が２０ｍｍ以上であり、小型化には限界がある。
【００１０】
上記特許文献２に記載の撮像レンズは、４枚という少ないレンズ枚数で構成し、Ｆ２．６で比較的明るく、全画角が１９０°以上の、良好な光学性能を有する小型の広角レンズを実現している。第１レンズと第３レンズにガラス材料を用い、第２レンズと第４レンズにプラスチック材料を用いた構成で、比較的低価格化を図れるレンズ系になっている。しかし、最も物体側に配置された負メニスカス形状の第１レンズは、レンズ径が大きいうえに、ガラス材料では加工の難易度が高い形状のため、製造コストを抑制するには限界がある。また、当該撮像レンズにおいて、第１レンズにプラスチック材料を用いた場合、第３レンズと第４レンズで補正しきれないほどの像面湾曲や非点収差が発生するため、良好な光学性能を得ることが困難である。
【００１１】
本発明は、上述した課題に鑑みてなされたものであり、低価格でありながら全画角で約１８０°の撮影画角と良好な光学性能を実現した小型の撮像レンズを提供することを目的とする。
【課題を解決するための手段】
【００１２】
本発明による撮像レンズは、物体側から像側に向かって順に、物体側に凸面を向けた負の屈折力を有する像側の面が非球面の第１レンズと、像側に凹面を向けた負の屈折力を有する両面が非球面の第２レンズと、正の屈折力を有する第３レンズと、開口絞りと、正の屈折力を有する第４レンズとから成り、前記第１レンズと前記第２レンズをプラスチック材料で構成し、以下の条件式（１）、（２）を満足する。
（１）−６５．０＜ｆ１／ｆ＜−１７．０
（２）０．０４＜ｆ２／ｆ１＜０．１４
ただし、ｆは撮像レンズ全系の焦点距離、ｆ１は第１レンズの焦点距離、ｆ２は第２レンズの焦点距離である。
【００１３】
本発明の撮像レンズは、物体側から順に、負、負、正、正の屈折力の配列とし、第１レンズと第２レンズとからなる前方の凹レンズ群と、第３レンズと第４レンズとからなる後方の凸レンズ群とで構成された、いわゆるレトロフォーカスタイプになっている。これにより、撮影画角の広角化、周辺光量およびバックフォーカスの確保に加え、撮像素子へ入射する光線のテレセントリック性の確保に有利な構成としている。
【００１４】
本発明のように４枚という少ないレンズ構成で、第１レンズと第２レンズにプラスチック材料を採用しながらも、広角化と良好な光学性能を実現するためには、第１レンズ及び第２レンズの凹レンズ群で発生する軸外光線の収差量を抑えることが特に重要になる。すなわち、像側に位置する第３レンズと第４レンズとで構成される凸レンズ群は、主に非点収差および像面湾曲といった軸外光線の収差補正に加え、球面収差、コマ収差の補正をも担う事になるが、この凸レンズ群の収差補正に係る負担をいかに小さなものとした凹レンズ群に構成するかが重要になる。そこで、本発明では第１レンズの像側の面と第２レンズの物体側および像側の面に適切な非球面を形成することでバランスのとれた収差補正を実現し光学性能を向上させている。
【００１５】
上記構成において、第１レンズは、物体側に凸面を向けた負の屈折力を有するレンズとし、広い範囲の光線をとらえて撮影画角の広角化を図る。また、像側の面の非球面形状は、第１レンズにおける偏角を極力小さくして軸外収差の発生を抑制するとともに、第２レンズへの入射角が大きくならないよう制御する。
【００１６】
第２レンズは、像側の面を凹形状とした負の屈折力を有するレンズであり、両面に非球面を形成することにより、第２レンズを通過する光線の偏角を極力小さくして軸外収差の発生を抑制しつつ、第３レンズへ導くことで撮影画角の広角化を容易にする。
【００１７】
正の屈折力を有する第３レンズおよび第４レンズは、撮像レンズの小型化を図るとともに光学系における諸収差の補正を担っており、球面収差、コマ収差、非点収差、および像面湾曲を良好に補正する。また、第３レンズは第１レンズおよび第２レンズで発生する色収差の補正、第４レンズは撮像素子への主光線入射角度の制御も担う。
【００１８】
開口絞りは、第３レンズと第４レンズの間に配置することにより、撮影画角の広角化に伴って増大する収差の補正を容易にする。
【００１９】
条件式（１）は、全系の焦点距離に対する第１レンズの焦点距離を適切な範囲に規定するものであり、軸外光線における収差の発生量を抑えながら広角化を図るための条件である。条件式（１）の上限値を上回る場合、第１レンズの負の屈折力が強まるため、第１レンズにおける偏角が大きくなり広角化には有利になるが、後方の凸レンズ群で補正しきれないほどの軸外収差が発生してしまう。一方、条件式（１）の下限値を下回る場合、第１レンズの負の屈折力が弱まるため、軸外収差の発生を抑えるには有利だが、第１レンズにおける偏角が小さくなりすぎて、広角化が困難になる。
【００２０】
条件式（２）は、第２レンズの成型性を確保しつつ、凹レンズ群で発生する軸外収差を抑制して良好な光学性能を得るための条件である。条件式（２）の上限値を上回る場合、凹レンズ群における第２レンズの負の屈折力が相対的に弱くなるため、第１レンズの負の屈折力を強めることで広角化を図ることになるが、その場合、第１レンズの偏肉比（レンズ中心部の厚みに対するレンズ周辺部の厚みの比）が小さくなりやすく、成型性は向上するものの、第１レンズにおける軸外収差が増大してしまう。一方、条件式（２）の下限値を下回る場合、凹レンズ群における第２レンズの負の屈折力が相対的に強くなるため、第２レンズの偏肉比が大きくなりやすく、成型性が悪化する傾向になる。さらに、第２レンズにおける軸外収差が増大するため、この場合も良好な光学性能を得ることが困難となる。
【００２１】
また、本発明の撮像レンズにおいて、第３レンズは少なくとも１面が非球面の像側に凹面を向けたメニスカス形状であり、第４レンズは少なくとも１面が非球面の物体側と像側に凸面を向けた両凸形状であることであることが望ましい。
【００２２】
第３レンズは、少なくとも１面に非球面を形成し、像側の面を凹形状としたメニスカスレンズにすることで、コマ収差、非点収差、像面湾曲、および、色収差の補正をより良好なものとする。さらに、通過する光線にテレセントリック性を持たせながら第４レンズへ導く役割を果たしている。第４レンズは、物体側と像側に凸面を向けた両凸形状とし、強い正の屈折力を物体側の面と像側の面とで分配させることで製造誤差感度の上昇を抑えながら、撮像レンズの小型化を図る。さらに、少なくとも１面に非球面を形成することによって、球面収差、非点収差、および像面湾曲の補正をより良好なものとしながら、撮像素子への主光線入射角度を適切な範囲内に制御する。
【００２３】
また、本発明の撮像レンズにおいて、第３レンズおよび第４レンズはプラスチック材料で構成することが望ましい。
【００２４】
第３レンズおよび第４レンズをプラスチック材料で構成することによって、更なる低価格化を図るとともに、各レンズ面に最適な非球面の形成が容易に行えるため、より良好な収差補正を可能にする。
【００２５】
また、本発明の撮像レンズにおいて、以下の条件式（３）を満足することが望ましい。
（３）４．８＜ｆ３／ｆ＜１０．０
ただし、ｆは撮像レンズ全系の焦点距離、ｆ３は第３レンズの焦点距離である。
【００２６】
条件式（３）は、全系の焦点距離に対する第３レンズの焦点距離を適切な範囲に規定するものであり、撮像レンズの小型化を図りつつ、軸外収差、コマ収差、および色収差を良好に補正するための条件である。さらに、条件式（３）は、第３レンズから射出する光線にテレセントリック性を持たせるための条件でもある。条件式（３）の上限値を上回る場合、第３レンズの正の屈折力が弱くなりすぎ、第３レンズにおける球面収差の発生量を抑えることができるが、第１レンズおよび第２レンズで発生する軸外収差、コマ収差および色収差を良好に補正することが困難になる。また、撮像レンズの小型化が困難になるとともに、射出光線のテレセントリック性が不十分になるため、第４レンズで撮像素子への主光線入射角を適切に制御することが困難になる。一方、条件式（３）の下限値を下回る場合、第３レンズの正の屈折力が強くなりすぎ、撮像レンズの小型化には有利だが、この場合も諸収差を良好に補正することが困難になる。さらに、第３レンズにおける球面収差やコマ収差の増大を招き、良好な光学性能を得ることが困難となる。
【００２７】
また、本発明の撮像レンズにおいて、以下の条件式（４）を満足することが望ましい。
（４）１．６＜ｆ４／ｆ＜３．０
ただし、ｆは撮像レンズ全系の焦点距離、ｆ４は第４レンズの焦点距離である。
【００２８】
条件式（４）は、全系の焦点距離に対する第４レンズの焦点距離を適切な範囲に規定するものであり、撮像レンズの小型化を図り、撮像素子への主光線入射角度を適切な範囲内に制御しながら良好な光学性能を得るための条件である。条件式（４）の上限値を上回る場合、第４レンズの正の屈折力が弱くなりすぎ、撮像レンズの小型化が困難になるとともに、撮像素子への主光線入射角度を適切な範囲内に制御することが困難となる。さらに、凹レンズ群で発生する軸外収差および第３レンズで発生する球面収差の補正も困難になる。一方、条件式（４）の下限値を下回る場合、第４レンズの正の屈折力が強くなりすぎ、撮像レンズの小型化には有利になるが、撮像素子への主光線入射角度を適切な範囲に制御することが困難になる。また、この場合も凹レンズ群で発生する軸外収差および第３レンズで発生する球面収差の補正が困難になる。
【００２９】
また、本発明の撮像レンズにおいて、以下の条件式（５）を満足することが望ましい。
（５）１４．４＜ＴＴＬ／ｆ＜２４．４
ただし、ｆは撮像レンズ全系の焦点距離、ＴＴＬは第１レンズの物体側の面から像面までの光軸上の距離（フィルタは空気換算長）である。
【００３０】
条件式（５）は、撮像レンズの小型化を図りつつ、適切なバックフォーカスを確保するための条件である。条件式（５）の上限値を上回る場合、バックフォーカスの確保には有利となるが、光学全長が長くなりすぎ、撮像レンズの小型化が困難となる。一方、条件式（５）の下限値を下回る場合、撮像レンズの小型化には有利だが、光学全長が短くなりすぎ、フィルタ等の挿入物を配置するスペースの確保が困難となる。
【発明の効果】
【００３１】
本発明により、低価格でありながら全画角で約１８０°の撮影画角と良好な光学性能を実現した小型の撮像レンズを得ることができる。
【図面の簡単な説明】
【００３２】
【図１】実施例１の撮像レンズの概略構成を示す図である。
【図２】実施例１の撮像レンズの球面収差、非点収差、歪曲収差を示す図である。
【図３】実施例２の撮像レンズの概略構成を示す図である。
【図４】実施例２の撮像レンズの球面収差、非点収差、歪曲収差を示す図である。
【図５】実施例３の撮像レンズの概略構成を示す図である。
【図６】実施例３の撮像レンズの球面収差、非点収差、歪曲収差を示す図である。
【図７】実施例４の撮像レンズの概略構成を示す図である。
【図８】実施例４の撮像レンズの球面収差、非点収差、歪曲収差を示す図である。
【図９】実施例５の撮像レンズの概略構成を示す図である。
【図１０】実施例５の撮像レンズの球面収差、非点収差、歪曲収差を示す図である。
【発明を実施するための形態】
【００３３】
以下、本発明に係る実施形態について図面を参照しながら詳細に説明する。
【００３４】
図１、図３、図５、図７および図９はそれぞれ、本実施形態の実施例１から５に係る撮像レンズの概略構成図を示している。いずれも基本的なレンズ構成は同様であるため、ここでは主に実施例１の概略構成図を参照しながら、本実施形態の撮像レンズ構成について説明する。
【００３５】
図１に示すように、本実施形態の撮像レンズは、物体側から像側に向かって順に、負の屈折力を有する第１レンズＬ１と、負の屈折力を有する第２レンズＬ２と、正の屈折力を有する第３レンズＬ３と、開口絞りＳＴと、正の屈折力を有する第４レンズＬ４とで構成される。
【００３６】
なお、本実施形態においては、第４レンズＬ４と像面ＩＭとの間にはフィルタ類を配置していないが、必要に応じて赤外線カットフィルタやカバーガラスなどのフィルタ類を配置しても良い。
【００３７】
上記４枚構成の撮像レンズにおいて、第１レンズＬ１は物体側に凸面を向けた負の屈折力を有するメニスカスレンズである。物体側の面に曲率が極めて小さい凸形状を形成し、広い範囲から入射する光線を取り込ませることで広角化を図っている。また、第１レンズＬ１の像側の面には非球面が形成されており、第１レンズＬ１における光線の偏角を極力小さくして軸外収差の発生を抑制している。なお、非球面は両面に形成してもよく、その場合には、偏角の調整が容易となり、軸外収差の発生をさらに効果的に抑制することができる。実施例２は、第１レンズＬ１の両面に非球面を形成した例である。
【００３８】
第２レンズＬ２は、像側に凹面を向けた負の屈折力を有するメニスカスレンズであり、第１レンズＬ１を通過した後の広い範囲の光線を、両面に形成した非球面で偏角を極力小さく保ちながら軸外収差の発生を抑制し、第３レンズＬ３へ導いている。なお、第２レンズＬ２は上記の形状に限定されるものではなく、例えば、実施例５のように両凹形状であってもよい。第２レンズＬ２を両凹形状とする場合、負の屈折力を物体側の面と像側の面とに分配させて像側の曲率を小さくできるため、レンズの成型性が向上する。
【００３９】
第３レンズＬ３は、像側に凹面を向けた正の屈折力を有するメニスカスレンズであり、撮像レンズの小型化を図りつつ、通過する光線にテレセントリック性を持たせながら第４レンズＬ４へ導いている。また、両面に形成した非球面によって、第１レンズＬ１と第２レンズＬ２で発生する軸外収差、コマ収差、および、色収差を良好に補正している。
【００４０】
第４レンズＬ４は、正の屈折力を有する両凸形状のレンズであり、物体側、および像側の面の凸面に強い正の屈折力を発生させることで、製造誤差感度の上昇を抑えながら撮像レンズの小型化を図っている。また、両面に形成した非球面によって、第１レンズＬ１と第２レンズＬ２で発生する軸外収差、および、第３レンズＬ３で発生する球面収差を良好に補正するとともに、撮像素子への主光線入射角度を適切な範囲内に制御している。
【００４１】
また、図１において開口絞りＳＴの位置は、第３レンズＬ３と第４レンズＬ４との間に配置されており、撮影画角の広角化における収差補正を容易にしている。
【００４２】
本実施の形態に係る撮像レンズは、全てのレンズにプラスチック材料を採用しているが、上述した構成を採ることによって、第１レンズＬ１と第２レンズＬ２とからなる凹レンズ群における軸外収差の発生量が抑制され、第３レンズＬ３と第４レンズＬ４とからなる凸レンズ群が担う収差補正の負担を軽減することで、良好な光学性能を実現している。
【００４３】
なお、採用するレンズ材料は、プラスチック材料に限定されるものではなく、更なる高性能化を目指す場合や温度変化の激しい環境において使用される場合、最も強い屈折力を有するレンズにガラス材料を採用しても良い。また、それぞれのレンズ面は要求される性能に応じて、製造が容易な球面を採用しても良い。
【００４４】
本実施形態における撮像レンズは、以下の条件式（１）から（５）を満足することにより、好ましい効果を奏するものである。
（１）−６５．０＜ｆ１／ｆ＜−１７．０
（２）０．０４＜ｆ２／ｆ１＜０．１４
（３）４．８＜ｆ３／ｆ＜１０．０
（４）１．６＜ｆ４／ｆ＜３．０
（５）１４．４＜ＴＴＬ／ｆ＜２４．４
ただし、
ｆ：撮像レンズ全系の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ＴＴＬ：第１レンズＬ１の物体側の面から像面ＩＭまでの光軸Ｘ上の距離（フィルタは空気換算長）
【００４５】
また、本実施形態における撮像レンズは、以下の条件式（１ａ）から（５ａ）を満足することにより、より好ましい効果を奏するものである。
（１ａ）−５６．０＜ｆ１／ｆ＜−１９．０
（２ａ）０．０５＜ｆ２／ｆ１＜０．１３
（３ａ）５．４＜ｆ３／ｆ＜８．５
（４ａ）１．８＜ｆ４／ｆ＜２．７
（５ａ）１６．０＜ＴＴＬ／ｆ＜２２．５
ただし、各条件式の符号は前の段落での説明と同様である。
【００４６】
さらに、本実施形態における撮像レンズは、以下の条件式（１ｂ）から（５ｂ）を満足することにより、特に好ましい効果を奏するものである。
（１ｂ）−５０．７６≦ｆ１／ｆ≦−２１．６３
（２ｂ）０．０６≦ｆ２／ｆ１≦０．１２
（３ｂ）６．０９≦ｆ３／ｆ≦７．６４
（４ｂ）２．０３≦ｆ４／ｆ≦２．４１
（５ｂ）１８．０１≦ＴＴＬ／ｆ≦２０．３４
ただし、各条件式の符号は前々段落での説明と同様である。
【００４７】
本実施形態において、レンズ面の非球面に採用する非球面形状は、光軸方向の軸をＺ、光軸に直交する方向の高さをＨ、円錐係数をｋ、非球面係数をＡ４、Ａ６、Ａ８、Ａ１０、Ａ１２、Ａ１４、Ａ１６としたとき数式１により表わされる。
【００４８】
【数１】
2015184498.tif 000003
【００４９】
次に、本実施形態に係る撮像レンズの実施例を示す。各実施例において、ｆは撮像レンズ全系の焦点距離を、ＦｎｏはＦナンバーを、ωは半画角を、ｉｈは最大像高をそれぞれ示す。また、ｉは物体側から数えた面番号、ｒは曲率半径、ｄは光軸上のレンズ面間の距離(面間隔)、Ｎｄはｄ線（基準波長）の屈折率、νｄはｄ線に対するアッベ数をそれぞれ示す。なお、非球面に関しては、面番号ｉの後に＊（アスタリスク）の符号を付加して示す。
【実施例１】
【００５０】
基本的なレンズデータを以下の表１に示す。
【００５１】
【表１】
2015184498.tif 000004
【００５２】
実施例１の撮像レンズは、表６に示すように条件式（１）から（５）を満たしている。
【００５３】
図２は実施例１の撮像レンズについて、球面収差（ｍｍ）、非点収差（ｍｍ）、歪曲収差（％）を示したものである。球面収差図は、Ｆ線（４８６ｎｍ）、ｄ線（５８８ｎｍ）、Ｃ線（６５６ｎｍ）の各波長に対する収差量を示している。また、非点収差図にはサジタル像面Ｓ、タンジェンシャル像面Ｔにおけるｄ線の収差量をそれぞれ示している（図４、図６および図８においても同じ）。図２に示すように、各収差は良好に補正されていることが分かる。
【００５４】
また、全てのレンズをプラスチック材料で構成しており、低価格化が図られている。撮影画角は全画角で約１８０°を達成し、光学全長ＴＴＬが約１１ｍｍの小型の撮像レンズ系が実現されている。
【実施例２】
【００５５】
基本的なレンズデータを以下の表２に示す。
【００５６】
【表２】
2015184498.tif 000005
【００５７】
実施例２の撮像レンズは、表６に示すように条件式（１）から（５）を満たしている。
【００５８】
図４は実施例２の撮像レンズについて、球面収差（ｍｍ）、非点収差（ｍｍ）、歪曲収差（％）を示したものである。図４に示すように、各収差は良好に補正されていることが分かる。
【００５９】
また、全てのレンズをプラスチック材料で構成しており、低価格化が図られている。撮影画角は全画角で約１８０°を達成し、光学全長ＴＴＬが約１２ｍｍの小型の撮像レンズ系が実現されている。
【実施例３】
【００６０】
基本的なレンズデータを以下の表３に示す。
【００６１】
【表３】
2015184498.tif 000006
【００６２】
実施例３の撮像レンズは、表６に示すように条件式（１）から（５）を満たしている。
【００６３】
図６は実施例３の撮像レンズについて、球面収差（ｍｍ）、非点収差（ｍｍ）、歪曲収差（％）を示したものである。図６に示すように、各収差は良好に補正されていることが分かる。
【００６４】
また、全てのレンズをプラスチック材料で構成しており、低価格化が図られている。撮影画角は全画角で約１８０°を達成し、光学全長ＴＴＬが約１２ｍｍの小型の撮像レンズ系が実現されている。
【実施例４】
【００６５】
基本的なレンズデータを以下の表４に示す。
【００６６】
【表４】
2015184498.tif 000007
【００６７】
実施例４の撮像レンズは、表６に示すように条件式（１）から（５）を満たしている。
【００６８】
図８は実施例４の撮像レンズについて、球面収差（ｍｍ）、非点収差（ｍｍ）、歪曲収差（％）を示したものである。図８に示すように、各収差は良好に補正されていることが分かる。
【００６９】
また、全てのレンズをプラスチック材料で構成しており、低価格化が図られている。撮影画角は全画角で約１８０°を達成し、光学全長ＴＴＬが約１２ｍｍの小型の撮像レンズ系が実現されている。
【実施例５】
【００７０】
基本的なレンズデータを以下の表５に示す。
【００７１】
【表５】
2015184498.tif 000008
【００７２】
実施例５の撮像レンズは、表６に示すように条件式（１）から（５）を満たしている。
【００７３】
図１０は実施例５の撮像レンズについて、球面収差（ｍｍ）、非点収差（ｍｍ）、歪曲収差（％）を示したものである。図１０に示すように、各収差は良好に補正されていることが分かる。
【００７４】
また、全てのレンズをプラスチック材料で構成しており、低価格化が図られている。撮影画角は全画角で約１８０°を達成し、光学全長ＴＴＬが約１２ｍｍの小型の撮像レンズ系が実現されている。
【００７５】
以上、説明したように、本発明の実施形態に係る撮像レンズは、低価格化を達成しながら全画角で約１８０°の撮影画角と良好な光学性能を有する、光学全長ＴＴＬが１３ｍｍ以下の小型の光学系を実現する。
【００７６】
表６に実施例１から５に係る条件式（１）から（５）の値を示す。
【００７７】
【表６】
2015184498.tif 000009
【産業上の利用可能性】
【００７８】
本発明に係る４枚構成の撮像レンズによれば、低価格でありながら、全画角で約１８０°の広角化を図りつつ、良好な光学性能を備える小型の撮像レンズを実現することができる。特に車載カメラやゲーム機、セキュリティカメラ、ＰＣなどの情報端末機器等、さらにはカメラ機能が付加された家電製品等に搭載される撮像装置へ適用することができる。
【符号の説明】
【００７９】
ＳＴ  開口絞り
Ｌ１  第１レンズ
Ｌ２  第２レンズ
Ｌ３  第３レンズ
Ｌ４  第４レンズ
【図１】
2015184498.tif 000010
【図２】
2015184498.tif 000011
【図３】
2015184498.tif 000012
【図４】
2015184498.tif 000013
【図５】
2015184498.tif 000014
【図６】
2015184498.tif 000015
【図７】
2015184498.tif 000016
【図８】
2015184498.tif 000017
【図９】
2015184498.tif 000018
【図１０】
2015184498.tif 000019